Podtech/llm-jp-corpus-v4-ja_patent huggingface dataset:
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
ハウジング部（２５）を含むマスク本体（１４）と、
前記マスク本体ハウジング部（２５）に取り外し可能に結合可能な電源（１２）と、
を備える呼吸マスク（１０）。
【請求項２】
前記電源（１２）が電池カートリッジ（１２）であり、前記マスク（１０）が前記マスク本体（１４）に結合されるフェースプレート（１６）をさらに備え、前記フェースプレート（１６）が開口（２４）を画定し、前記電池カートリッジ（１２）が前記開口（２４）から垂直に所定距離離れている、請求項１に記載の呼吸マスク（１０）。
【請求項３】
前記電源（１２）が電池カートリッジ（１２）であり、前記マスク本体（１４）が前記電池カートリッジ（１２）の少なくとも一部を収容するサイズと構造を有する凹部（５０）を画定する、請求項２に記載の呼吸マスク（１０）。
【請求項４】
前記マスク本体ハウジング部（２５）が第１面（２８）と、前記第１面（２８）に直交する第２面（３０）とを有し、前記電池カートリッジ（１２）が、前記電池カートリッジ（１２）が前記マスク本体（１４）に結合されたときに前記マスク本体ハウジング部（２５）の前記第２面（３０）と共面となる縁部（４４）を含む、請求項３に記載の呼吸マスク（１０）。
【請求項５】
前記電池カートリッジ（１２）が、前記電池カートリッジ（１２）が前記マスク本体（１４）に取り付けられたときに、前記マスク本体ハウジング部（２５）の前記第１面（２８）と共面となる面（４６）をさらに含む、請求項４に記載の呼吸マスク（１０）。
【請求項６】
前記電池カートリッジ縁部（４４）が第４縁部（４４）であり、前記電池カートリッジ（１２）が第１縁部（３８）と、前記第１縁部（３８）とは反対側を向いた第２縁部（４０）と、前記第４縁部（４４）とは反対側を向いた第３縁部（４２）とをさらに含み、前記凹部（５０）が、
前記電池カートリッジ（１２）が前記マスク本体（１４）に取り付けられたときに前記電池カートリッジ第１縁部（３８）に接触するように構成される凹部第１壁（５４）と、
前記電池カートリッジ（１２）が前記マスク本体（１４）に取り付けられたときに前記電池カートリッジ第２縁部（４０）に接触するように構成される凹部第２壁（５６）と、
前記凹部第１壁（５４）の切欠き（８２）と、
をさらに含む、
請求項４に記載の呼吸マスク（１０）。
【請求項７】
マスク本体（１４）と、前記マスク本体（１４）に取り外し可能に結合される電池カートリッジ（１２）とを備える呼吸マスク（１０）であって、
前記マスク本体（１４）が、
第１面（２８）と、
前記マスク本体第１面（２８）に直交する第２面（３０）であって、前記マスク本体第１面（２８）が呼吸器を収容するサイズと構造を有する開口（２４）を画定する、第２面（３０）と、
前記マスク本体（１４）の凹部（５０）であって、凹部第１壁（５４）と、前記第１壁（５４）と向かい合う凹部第２壁（５６）と、前記凹部第１壁（５４）と前記凹部第２壁（５６）との間を延びる凹部第３壁（５８）と、前記凹部第１壁（５４）、前記凹部第２壁（５６）、および前記凹部第３壁（５８）に接し、前記マスク本体第１面（２８）に平行である凹部第４壁（６０）とを有する凹部（５０）と、
を含み、
前記電池カートリッジ（１２）が、
前記電池カートリッジ（１２）が前記マスク本体（１４）に結合されたときに前記凹部第１壁（５４）と接触するように構成される電池カートリッジ第１縁部（３８）と、
前記電池カートリッジ第１縁部（３８）とは反対側を向いた、前記電池カートリッジ（１２）が前記マスク本体（１４）に結合されたときに前記凹部第２壁（５６）に接するように構成される電池カートリッジ第２縁部（４０）と、
前記電池カートリッジ第１縁部（３８）と前記電池カートリッジ第２縁部（４０）との間を延び、前記電池カートリッジ（１２）が前記マスク本体（１４）に結合されたときに前記凹部第４壁（６０）に接するように構成される電池カートリッジ第１面（４６）と、
前記電池カートリッジ第１縁部（３８）と前記電池カートリッジ第２縁部（４０）との間を延び、前記電池カートリッジ（１２）が前記マスク本体（１４）に結合されたときに前記マスク本体第１面（２８）と共面になるように構成される電池カートリッジ第２面（４８）と、
を含む、呼吸マスク（１０）。
【請求項８】
呼吸マスク（１０）用の取り外し可能電池カートリッジ（１２）であって、前記呼吸マスク（１０）が第１面（２８）と、前記第１面（２８）に直交する第２面（３０）とを有し、前記電池カートリッジ（１２）が、
第１縁部（３８）と、
前記第１縁部（３８）とは反対側を向いた第２縁部（４０）と、
前記第１縁部（３８）と第２縁部（４０）との間を延びる第１面（４６）と、
前記第１縁部（３８）と第２縁部（４０）との間を延び、前記第１面（４６）とは反対側を向き、前記電池カートリッジ（１２）が前記マスク本体（１４）に結合されたときに前記マスク第１面（２８）と共面になるように構成される第２面（４８）と、
前記マスク本体（１４）に係合可能なラッチ機構（８４）と、
を備える、取り外し可能電池カートリッジ（１２）。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
有効成分がイソグリチルリチン酸マグネシウムであることを特徴とする、慢性閉塞性肺疾患を治療するための、去痰のための、または慢性ウイルス性肝炎を治療するための吸入製剤。
【請求項２】
微粉化されたイソグリチルリチン酸マグネシウムと、１種または複数種の薬学的に許容される担体とを含むドライパウダー式吸入剤であり、前記イソグリチルリチン酸マグネシウムの粒径は、０．５〜１０μｍであり、０．５〜５μｍであることが好ましいことを特徴とする請求項１に記載の吸入製剤。
【請求項３】
前記薬学的に許容される担体は、研磨乳糖、篩い分け乳糖または篩い分け乳糖と細粒乳糖の混合物であり、研磨乳糖の粒径分布範囲は、１〜３５０μｍにあり、篩い分け乳糖の粒径分布範囲は、１〜２００μｍにあり、細粒乳糖の粒径分布範囲は、１〜６０μｍにあり、好ましくは、前記研磨乳糖はＸ５０＜３０〜１１０μｍの粒度分布を有し、前記篩い分け乳糖はＸ５０＜３５〜１１５μｍの粒度分布を有し、前記細粒乳糖はＸ９０＜４５μｍの粒度分布を有することを特徴とする請求項２に記載の吸入製剤。
【請求項４】
微粉化されたイソグリチルリチン酸マグネシウムと担体とを混合してカプセルまたはブリスターパックに充填することを特徴とする請求項３に記載の吸入製剤。
【請求項５】
１カプセルまたはブリスターパックあたり、微粉化されたイソグリチルリチン酸マグネシウム１〜５０ｍｇと、乳糖０〜５０ｍｇとを含むことを特徴とする請求項４に記載の吸入製剤。
【請求項６】
１カプセルまたはブリスターパックあたり、微粉化されたイソグリチルリチン酸マグネシウム１〜３０ｍｇと、乳糖１〜４０ｍｇとを含むことを特徴とする請求項５に記載の吸入製剤。
【請求項７】
前記ドライパウダー式吸入剤は、１種または複数種の薬学的に許容される添加剤をさらに含み、前記添加剤は、界面活性剤、潤滑剤、及び矯味剤から選ばれる１種または複数種であることを特徴とする請求項２〜請求項６のいずれか一項に記載の吸入製剤。
【請求項８】
前記界面活性剤はリン脂質であり、および／または前記潤滑剤はステアリン酸マグネシウムであることを特徴とする請求項７に記載の吸入製剤。
【請求項９】
イソグリチルリチン酸マグネシウムと、等張剤と、ｐＨ調節剤と、注射用水とを含み、ｐＨが６．０〜８．０であるネブライザ用液体製剤であり、前記ネブライザは、連続式ネブライザまたは定量式ネブライザであることを特徴とする請求項１に記載の吸入製剤。
【請求項１０】
前記イソグリチルリチン酸マグネシウムの含有量は、０．１〜５ｍｇ／ｍＬであり、０．１〜２．５ｍｇ／ｍＬであることが好ましいことを特徴とする請求項９に記載の吸入製剤。
【請求項１１】
前記等張剤は、グルコース、塩化ナトリウム、塩化カリウム、またはマンニトールから選ばれる１種または複数種の組合せであることを特徴とする請求項９に記載の吸入製剤。
【請求項１２】
前記ｐＨ調節剤は、水酸化ナトリウム、アンモニア水、塩酸、炭酸ナトリウム、炭酸水素ナトリウム、希硫酸、クエン酸、クエン酸ナトリウム、酢酸、酒石酸、酢酸ナトリウム、またはリン酸水素二ナトリウムから選ばれる１種または複数種の組合せであることを特徴とする請求項９に記載の吸入製剤。
【請求項１３】
前記ｐＨは、６．５〜７．０であることを特徴とする請求項９に記載の吸入製剤。
【請求項１４】
１ｍＬ、２ｍＬまたは５ｍＬの仕様の包装により単回投与量で提供され、２ｍＬであることが好ましいことを特徴とする請求項９に記載の吸入製剤。
【請求項１５】
慢性閉塞性肺疾患を治療する薬物、
去痰薬物、または
慢性ウイルス性肝炎を治療するためにイソグリチルリチン酸マグネシウム注射液と請求項１〜請求項６および請求項８〜請求項１４のいずれか一項に記載の吸入製剤が逐次療法で用いられる慢性ウイルス性肝炎を治療する薬物
の製造における請求項１〜請求項６および請求項８〜請求項１４のいずれか一項に記載の吸入製剤の応用。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
骨折治癒を加速させるかもしくは促進するための、または骨折を治療するためのパッチであって、前記パッチは、少なくとも部分的に製剤により覆われた複数の微小突起を含み、前記製剤が、アバロパラチドと、Ｚｎ２＋塩、Ｍｇ２＋塩、およびＣａ２＋塩からなる群から選択される１つ以上の賦形剤とを含む、パッチ。
【請求項２】
前記賦形剤がＺｎ２＋塩を含む、請求項１に記載のパッチ。
【請求項３】
アバロパラチドに対する前記賦形剤のモル比が、０．１〜３．０である、請求項１または２に記載のパッチ。
【請求項４】
アバロパラチドに対する前記賦形剤のモル比が、１．５〜２．５である、請求項１〜３のいずれか一項に記載のパッチ。
【請求項５】
前記パッチの製剤が、２％〜１０％ｗ／ｗの前記賦形剤を含む、請求項１〜４のいずれか一項に記載のパッチ。
【請求項６】
前記パッチの製剤が、５％〜７％ｗ／ｗの前記賦形剤を含む、請求項１〜５のいずれか一項に記載のパッチ。
【請求項７】
前記パッチが、２００〜４５０μｇの量のアバロパラチドをさらに含む、請求項１〜６のいずれか一項に記載のパッチ。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
ＣＤ４７＋疾患細胞を枯渇させるのに有効なＳＩＲＰαＦｃ薬、及びＣＤ４７＋疾患細胞の前記枯渇を増強するのに有効なマクロファージ刺激剤を含む、ＣＤ４７＋疾患細胞を提示する対象の治療のための、組み合わせ。
【請求項２】
前記ＣＤ４７＋疾患細胞が、ＣＤ４７＋癌細胞である、請求項１に記載の組み合わせ。
【請求項３】
前記ＣＤ４７＋癌細胞が、ＣＤ４７＋血液癌である、請求項２に記載の組み合わせ。
【請求項４】
前記ＣＤ４７＋癌細胞が、急性リンパ性白血病（ＡＬＬ）、急性骨髄性白血病（ｍｙｅｌｏｉｄ  ｌｅｕｋｅｍｉａ）（ＡＭＬ）、慢性リンパ性白血病（ＣＬＬ）、慢性骨髄性白血病（ｍｙｅｌｏｇｅｎｏｕｓ  ｌｅｕｋｅｍｉａ）（ＣＭＬ）、骨髄増殖性疾患／腫瘍（ＭＰＤＳ）、菌状息肉症、及び骨髄異形成症候群から選択される癌タイプの細胞である、請求項３に記載の組み合わせ。
【請求項５】
前記癌が、ホジキンリンパ腫、無痛性でも侵襲性でもある非ホジキンリンパ腫、バーキットリンパ腫、小細胞濾胞性リンパ腫及び大細胞濾胞性リンパ腫から選択されるリンパ腫である、請求項３に記載の組み合わせ。
【請求項６】
前記癌が、多発性骨髄腫（ＭＭ）、巨細胞骨髄腫、重鎖骨髄腫、及び軽鎖またはベンス・ジョーンズ骨髄腫から選択される骨髄腫である、請求項３に記載の組み合わせ。
【請求項７】
前記マクロファージ刺激剤が、インターフェロンガンマ１ｂ、インターフェロンアルファ２ａ、インターロイキン１β、インターロイキン４、インターロイキン−１０、マクロファージコロニー刺激因子、及び形質転換成長因子ベータから選択される、請求項１〜６のいずれか１項に記載の組み合わせ。
【請求項８】
前記マクロファージ刺激剤が、リポ多糖（ＬＰＳ）、レシキモド、及びポリ（Ｉ：Ｃ）から選択されるトール様受容体アゴニストである、請求項１〜６のいずれか１項に記載の組み合わせ。
【請求項９】
前記ＳＩＲＰαＦｃ薬が、配列番号３のアミノ酸配列を含む、請求項１〜８のいずれか
１項に記載の組み合わせ。
【請求項１０】
前記ＳＩＲＰαＦｃ薬が、配列番号８のアミノ酸配列を含む、請求項１〜８のいずれか１項に記載の組み合わせ。
【請求項１１】
前記マクロファージ刺激剤が、インターフェロンアルファ２ａを含む、請求項１〜１０のいずれか１項に記載の組み合わせ。
【請求項１２】
ＳＩＲＰαＦｃ薬を用いて治療中である対象においてＣＤ４７＋癌を治療するための、マクロファージ刺激剤。
【請求項１３】
前記マクロファージ刺激剤が、インターフェロンアルファ２ａを含む、請求項１２に記載のマクロファージ刺激剤。
【請求項１４】
マクロファージ刺激剤を用いて治療中である対象においてＣＤ４７＋癌を治療するための、ＳＩＲＰαＦｃ薬。
【請求項１５】
前記マクロファージ刺激剤が、インターフェロンアルファ２ａを含む、請求項１４に記載のＳＩＲＰαＦｃ薬。
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
新生物を有する被験者を処置する方法において、
前記被験者に、順次または同時に、ＤＹＲＫ１阻害剤を投与し、前記被験者にＥＧＦＲ  ＴＫＩを投与することを含み、前記ＤＹＲＫ１阻害剤は、式Ｉ：
【化１】
2019511554.tif 000001
またはその薬学的に許容可能な塩もしくは溶媒和物を有し、
式中、
Ｒ１は、置換もしくは非置換のＣ１〜８アルキル、置換もしくは非置換のフェニル、または置換もしくは非置換のベンジルであり、
Ｒ２は、オプションとしてハロ、ＣＮ、ＮＯ２、ＮＨＣ（Ｏ）Ｃ１〜４アルキル、Ｃ１〜４アルキル、ＯＨ、ＯＣ１〜４アルキルから独立して選択された最大で４つの基で置換された、フェニルであり、２つの隣接する基およびそれらの介在炭素原子は、Ｎ、Ｏ、またはＳから選択された１つ以上のヘテロ原子を含有する五〜六員環を形成し得る、方法。
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
治療的に有効な量の逆転写酵素阻害剤と組み合わせて用いられ、
治療的に有効な量の式ＩＡ：
【化２】
2019511542.tif 000001
又はその薬学的に許容される塩、その水和物、その溶媒和物、若しくはその結晶形態であり、
式中、
Ａが、フェニル又はピリジニルであり、
Ｒ１が、Ｈ又はＣ１〜Ｃ６アルキルであり、
Ｒ２が、Ｃ１〜Ｃ６アルキルであり、これはハロゲン、Ｃ１〜Ｃ６アルコキシ、オキソ、Ｃ１〜Ｃ６アルキル、ＯＨ、ＣＮ、ＣＦＨ２、ＣＦ２Ｈ又はＣＦ３で任意選択的かつ独立的に置換され、
Ｒ３が、出現するごとに、独立的に、ハロゲン、Ｃ１〜Ｃ６アルキル、Ｃ１〜Ｃ６アルコキシ、シアノ、Ｃ１〜Ｃ６アルケニル、Ｃ１〜Ｃ６アルキニル、又はＯＨであり、
Ｘが、ＣＲ４であり、
Ｇ３が、Ｈ又はＣ１〜Ｃ６アルキルであり、
Ｒ４が、出現するごとに、独立的に、Ｈ、ハロゲン、Ｃ１〜Ｃ３アルキル、又はシアノであり、
ｎが、０、１、２、又は３である、コアタンパク質アロステリックモジュレーター（ＣｑＡＭ）を含む医薬組成物であって、
前記コアタンパク質アロステリックモジュレーターが、そのウイルス含有量に関して本質的に空であるカプシドの集合を生じさせるコアタンパク質アロステリックモジュレーターである、医薬組成物。
【請求項２】
治療的に有効な量のコアタンパク質アロステリックモジュレーター（ＣｑＡＭ）と組み合わせて用いられ、
治療的に有効な量の逆転写酵素阻害剤を含む医薬組成物であって、
前記コアタンパク質アロステリックモジュレーター（ＣｑＡＭ）は、式ＩＡ：
【化２】
2019511542.tif 000002
又はその薬学的に許容される塩、その水和物、その溶媒和物、若しくはその結晶形態であり、
式中、
Ａが、フェニル又はピリジニルであり、
Ｒ１が、Ｈ又はＣ１〜Ｃ６アルキルであり、
Ｒ２が、Ｃ１〜Ｃ６アルキルであり、これはハロゲン、Ｃ１〜Ｃ６アルコキシ、オキソ、Ｃ１〜Ｃ６アルキル、ＯＨ、ＣＮ、ＣＦＨ２、ＣＦ２Ｈ又はＣＦ３で任意選択的かつ独立的に置換され、
Ｒ３が、出現するごとに、独立的に、ハロゲン、Ｃ１〜Ｃ６アルキル、Ｃ１〜Ｃ６アルコキシ、シアノ、Ｃ１〜Ｃ６アルケニル、Ｃ１〜Ｃ６アルキニル、又はＯＨであり、
Ｘが、ＣＲ４であり、
Ｇ３が、Ｈ又はＣ１〜Ｃ６アルキルであり、
Ｒ４が、出現するごとに、独立的に、Ｈ、ハロゲン、Ｃ１〜Ｃ３アルキル、又はシアノであり、
ｎが、０、１、２、又は３であり、
前記コアタンパク質アロステリックモジュレーターが、そのウイルス含有量に関して本質的に空であるカプシドの集合を生じさせるコアタンパク質アロステリックモジュレーターである、医薬組成物。
【請求項３】
治療的に有効な量の式ＩＡの前記化合物、又はその薬学的に許容される塩、その水和物、その溶媒和物、若しくはその結晶形態と、治療的に有効な量の逆転写酵素阻害剤とを含む、請求項１または２に記載の医薬組成物。
【請求項４】
式ＩＡの前記化合物が、化合物２：
【化５】
2019511542.tif 000003
又はその薬学的に許容される塩、その水和物、その溶媒和物、若しくはその結晶形態である、請求項１〜３のいずれか一項に記載の医薬組成物。
【請求項５】
式ＩＡの前記化合物が、化合物３：
【化６】
2019511542.tif 000004
又はその薬学的に許容される塩、その水和物、その溶媒和物、若しくはその結晶形態である、請求項１〜３のいずれか一項に記載の医薬組成物。
【請求項６】
前記逆転写酵素阻害剤が、エンテカビル、テノホビル、ラミブジン、テルビブジン、アデホビル、クレブジン、ＣＭＸ１５７、ＡＧＸ−１００９、ジドブジン、ジダノシン、ザルシタビン、スタブジン、エムトリシタビン、アバカビル、Ｄ−Ｄ４ＦＣ、アロブジン、アムドキソビル、エルブシタビン、デラビルジン、エファビレンツ、ネビラピン、カプラビリン、カラノライドＡ、ＴＭＣ２７８、ＢＭＳ−５６１３９０、及びＤＰＣ−０８３、又はそのプロドラッグ若しくは薬学的に許容される塩から選択される、請求項１〜５のいずれか一項に記載の医薬組成物。
【請求項７】
前記逆転写酵素阻害剤が、エンテカビル、テノホビル、及びラミブジン、又はその薬学的に許容される塩若しくはプロドラッグから選択される、請求項１〜５のいずれか一項に記載の医薬組成物。
【請求項８】
前記逆転写酵素阻害剤が、プリン系である、請求項１〜５のいずれか一項に記載の医薬組成物。
【請求項９】
前記プリン系の逆転写酵素阻害剤が、エンテカビル又はテノホビルである、請求項８に記載の医薬組成物。
【請求項１０】
前記ＣｑＡＭ及び前記逆転写酵素阻害剤が、同一の製剤中にある、請求項１〜９のいずれか一項に記載の医薬組成物。
【請求項１１】
前記ＣｑＡＭ及び前記逆転写酵素阻害剤が、個別の製剤中にある、請求項１〜９のいずれか一項に記載の医薬組成物。
【請求項１２】
患者におけるＨＢＶ感染の処置において使用するための、請求項１〜１１のいずれか一項に記載の医薬組成物。
【請求項１３】
前記患者が、ヌクレオシド剤を用いる処置に対して抵抗性又は不応性である、請求項１２に記載の医薬組成物。
【請求項１４】
前記患者が処置未経験患者である、請求項１２に記載の医薬組成物。
【請求項１５】
前記ＣｑＡＭ及び前記逆転写酵素阻害剤の投与が、４８週より短い期間にわたって行われる、請求項１２に記載の医薬組成物。
【請求項１６】
前記患者が慢性ＨＢＶ感染患者である、請求項１２に記載の医薬組成物。
【請求項１７】
前記処置が、追加のＨＢＶ抗ウイルス剤の投与を更に含む、請求項１２に記載の医薬組成物。
【請求項１８】
前記追加のＨＢＶ抗ウイルス剤がペグ化インターフェロンアルファ−２ａである、請求項１７に記載の医薬組成物。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
成分：
（ｉ）３−Ｚ−［１−（４−（Ｎ−（（４−メチル−ピペラジン−１−イル）−メチルカルボニル）−Ｎ−メチル−アミノ）−アニリノ）−１−フェニル−メチレン］−６−メトキシカルボニル−２−インドリノンまたはその薬学的に許容される塩と、
（ｉｉ）２’−デオキシ−５−（トリフルオロメチル）ウリジンまたはその薬学的に許容される塩と、
（ｉｉｉ）５−クロロ−６−［（２−イミノピロリジン−１−イル）メチル］ピリミジン−２，４（１Ｈ，３Ｈ）−ジオンまたはその薬学的に許容される塩と
を含む医薬組合せであって、
成分（ｉｉ）２’−デオキシ−５−（トリフルオロメチル）ウリジンまたはその薬学的に許容される塩と、成分（ｉｉｉ）５−クロロ−６−［（２−イミノピロリジン−１−イル）メチル］ピリミジン−２，４（１Ｈ，３Ｈ）−ジオンまたはその薬学的に許容される塩とのモル比が、１：０．５である、医薬組成物。
【請求項２】
化合物３−Ｚ−［１−（４−（Ｎ−（（４−メチル−ピペラジン−１−イル）−メチルカルボニル）−Ｎ−メチル−アミノ）−アニリノ）−１−フェニル−メチレン］−６−メトキシカルボニル−２−インドリノンの薬学的に許容される塩が、そのモノエタンスルホン酸塩形態である、請求項１に記載の医薬組成物。
【請求項３】
化合物５−クロロ−６−［（２−イミノピロリジン−１−イル）メチル］ピリミジン−２，４（１Ｈ，３Ｈ）−ジオンの薬学的に許容される塩が、塩酸塩形態である、請求項１に記載の医薬組成物。
【請求項４】
化合物３−Ｚ−［１−（４−（Ｎ−（（４−メチル−ピペラジン−１−イル）−メチルカルボニル）−Ｎ−メチル−アミノ）−アニリノ）−１−フェニル−メチレン］−６−メトキシカルボニル−２−インドリノンのモノエタンスルホン酸塩形態、および化合物５−クロロ−６−［（２−イミノピロリジン−１−イル）メチル］ピリミジン−２，４（１Ｈ，３Ｈ）−ジオンの塩酸塩形態を含む、請求項１に記載の医薬組成物。
【請求項５】
成分（ｉｉ）および（ｉｉｉ）が、両方の成分の同時使用、個別使用、または逐次使用のための混合物を形成する、請求項１から４までのいずれか１項に記載の医薬組成物。
【請求項６】
結腸直腸癌の治療における併用のための、請求項１〜５のいずれか１項記載の医薬組成物。
【請求項７】
放射線療法との併用治療における使用のための、請求項１〜６のいずれか１項に記載の医薬組成物。
【請求項８】
転移性結腸直腸癌の治療における使用のための、請求項１〜７のいずれか１項に記載の医薬組成物。
【請求項９】
フルオロピリミジン、オキサリプラチン、およびイリノテカンベースの化学療法、抗ＶＥＧＦ剤、ならびに抗ＥＧＦＲ剤からなる群から選ばれる利用可能な療法で以前に治療されているか、またはその候補とは考えられていなかった、転移性結腸直腸癌（ＣＲＣ）の治療における使用のための、請求項１〜８のいずれか１項に記載の医薬組成物。
【請求項１０】
請求項１に記載の化合物（ｉ）を、遊離塩基２００ｍｇの量で１日２回投与することを意図する、請求項１〜９のいずれか１項に記載の医薬組成物。
【請求項１１】
請求項１に記載の化合物（ｉ）を、遊離塩基１５０ｍｇの量で１日２回投与することを意図する、請求項６〜１０のいずれか１項に記載の医薬組成物。
【請求項１２】
請求項１に記載の化合物（ｉ）を、遊離塩基１００ｍｇの量で１日２回投与することを意図する、請求項６〜１１のいずれか１項に記載の医薬組成物。
【請求項１３】
請求項１に記載の化合物（ｉｉ）を、２８日の治療サイクルの１日目〜５日目および８〜１２日目に１日２回、１ｍ2当たり３５ｍｇの遊離塩基の量で投与することを意図し、請求項１に記載の化合物（ｉｉｉ）を、請求項１に記載のモル比に従って、化合物（ｉｉ）と同時に投与することを意図する、請求項１〜１２のいずれか１項に記載の医薬組成物。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
式Iの化合物またはその塩
【化１】
2019511548.tif 000001
(式中、
Arは、下記基を表し
【化２】
2019511548.tif 000002
2019511548.tif 000003
R1は、水素、フルオロ、クロロ、またはメチルを表し；
R2およびR3は、独立して、水素、フルオロ、クロロ、シアノ、メチル、または-OCH3を表し；
R4は、水素またはフルオロを表し；
R5は、クロロ、ブロモ、フルオロ、-CF3、-OCF3またはシクロプロピルを表し；
R6は、水素、クロロまたはフルオロを表し；
R7は、水素または-CF3を表す)。
【請求項２】
置換基R1、R2、R3およびR4の少なくとも2つが、水素を表す、請求項１記載の化合物。
【請求項３】
R5が、-CF3を表し；
R7が、水素を表す、請求項１または２記載の化合物。
【請求項４】
Arが下記基を表す、請求項１〜３のいずれか１項記載の化合物
【化３】
2019511548.tif 000004
【請求項５】
R1が、水素、フルオロまたはクロロを表す、請求項１〜４のいずれか１項記載の化合物。
【請求項６】
R2が、水素またはフルオロを表す、請求項１〜５のいずれか１項記載の化合物。
【請求項７】
R3が、水素、フルオロまたはシアノを表す、請求項１〜６のいずれか１項記載の化合物。
【請求項８】
R4が、水素を表す、請求項１〜７のいずれか１項記載の化合物。
【請求項９】
Arが、下記基を表す、請求項１〜８のいずれか１項記載の化合物
【化４】
2019511548.tif 000005
【請求項１０】
Arが、下記基を表し
【化５】
2019511548.tif 000006
R1が、水素、フルオロまたはクロロを表し；
R2が、水素またはフルオロを表し；
R3が、水素、フルオロまたはシアノを表し；
R4が、水素を表す、請求項１〜９のいずれか１項記載の化合物。
【請求項１１】
請求項１〜１０のいずれか１項記載の化合物であって、すなわち下記からなる群から選択される化合物
【化６】
2019511548.tif 000007
2019511548.tif 000008
2019511548.tif 000009
2019511548.tif 000010
2019511548.tif 000011
2019511548.tif 000012
2019511548.tif 000013
2019511548.tif 000014
2019511548.tif 000015
2019511548.tif 000016
2019511548.tif 000017
2019511548.tif 000018
2019511548.tif 000019
2019511548.tif 000020
2019511548.tif 000021
2019511548.tif 000022
2019511548.tif 000023
またはその塩。
【請求項１２】
請求項１〜１１のいずれか１項記載の化合物またはその医薬的に許容される塩を含む医薬組成物。
【請求項１３】
医薬的に許容されるアジュバント、希釈剤および/または担体と混合した請求項１〜１１のいずれか１項記載の化合物またはその医薬的に許容される塩を含む医薬組成物。
【請求項１４】
衝動制御障害と関連した精神医学的状態または神経学的状態の治療において使用するための、請求項１〜１１のいずれか１項記載の化合物またはその医薬的に許容される塩を含む医薬組成物。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
肝細胞癌の治療又は予防を、それを必要とする対象において行うための、治療有効量のＦＸＲ作動薬を含む組成物であって、前記ＦＸＲ作動薬が、化合物１：
【化１５】
2019511550.tif 000001
又はその薬学的に許容可能な塩である、組成物。
【請求項２】
前記肝細胞癌が、初期ステージの肝細胞癌、非転移性肝細胞癌、原発性肝細胞癌、進行肝細胞癌、限局性進行肝細胞癌、転移性肝細胞癌、寛解期にある肝細胞癌、又は再発性肝細胞癌からなる群から選択される、請求項１に記載の組成物。
【請求項３】
前記ＦＸＲ作動薬が、化合物１のナトリウム塩である、請求項１又は２に記載の組成物。
【請求項４】
前記ＦＸＲ作動薬が、化合物１のＮ，Ｎ−ジエタンアミン塩である、請求項１又は２に記載の組成物。
【請求項５】
肝細胞癌の治療又は予防を、それを必要とする対象において行うための、ＦＸＲ作動薬及び薬学的に許容可能な賦形剤を含む医薬組成物であって、前記ＦＸＲ作動薬が、化合物１：
【化１６】
2019511550.tif 000002
又はその薬学的に許容可能な塩である、医薬組成物。
【請求項６】
肝細胞癌の治療又は予防を、それを必要とする対象において行うためのキットであって、化合物１：
【化１７】
2019511550.tif 000003
又はその薬学的に許容可能な塩を含む、キット。
【請求項７】
肝細胞癌の治療又は予防を必要とする対象における肝細胞癌の治療又は予防のための薬剤の製造におけるＦＸＲ作動薬の使用であって、前記ＦＸＲ作動薬が、化合物１：
【化１８】
2019511550.tif 000004
又はその薬学的に許容可能な塩である、使用。
【手続補正２】
【補正対象書類名】明細書
【補正対象項目名】０００４
【補正方法】変更
【補正の内容】
【０００４】
本発明はこれらの要求に取り組む。したがって、本発明の目的は、肝細胞癌などの癌の治療又は予防の改善された方法を提供することである。
本発明は、例えば以下の項目を提供する。
（項目１）
癌の治療又は予防を、それを必要とする対象において行う方法であって、化合物１若しくは２：
【化１１】
2019511550.tif 000005
から選択される治療有効量のＦＸＲ作動薬、又はその薬学的に許容可能な塩若しくはアミノ酸抱合体を投与することを含む、方法。
（項目２）
前記癌が、肝細胞癌、膵臓癌、腎臓癌、前立腺癌、食道癌、乳癌、胃癌、腎癌、唾液腺癌、卵巣癌、子宮体癌、膀胱癌、及び肺癌から選択される、項目１に記載の方法。
（項目３）
前記癌が肝細胞癌である、項目１又は２に記載の方法。
（項目４）
前記肝細胞癌が、初期ステージの肝細胞癌、非転移性肝細胞癌、原発性肝細胞癌、進行肝細胞癌、限局性進行肝細胞癌、転移性肝細胞癌、寛解期にある肝細胞癌、又は再発性肝細胞癌からなる群から選択される、項目３に記載の方法。
（項目５）
前記ＦＸＲ作動薬が、化合物１又はその薬学的に許容可能な塩である、項目１〜４のいずれか一項に記載の方法。
（項目６）
前記ＦＸＲ作動薬が、化合物１のナトリウム塩である、項目５に記載の方法。
（項目７）
前記ＦＸＲ作動薬が、化合物１のＮ，Ｎ−ジエタンアミン塩である、項目５に記載の方法。
（項目８）
前記ＦＸＲ作動薬が、化合物２又はその薬学的に許容可能な塩若しくはアミノ酸抱合体である、項目１〜４のいずれか一項に記載の方法。
（項目９）
前記ＦＸＲ作動薬が、化合物２のグリシン抱合体である、項目８に記載の方法。
（項目１０）
前記ＦＸＲ作動薬が、化合物２のタウリン抱合体である、項目８に記載の方法。
（項目１１）
前記ＦＸＲ作動薬が、化合物２のサルコシン抱合体である、項目８に記載の方法。
（項目１２）
癌の治療又は予防を、それを必要とする対象において行うための化合物１若しくは２：
【化１２】
2019511550.tif 000006
から選択されるＦＸＲ作動薬、又はその薬学的に許容可能な塩若しくはアミノ酸抱合体、及び薬学的に許容可能な賦形剤を含む医薬組成物。
（項目１３）
癌の治療又は予防を、それを必要とする対象において行うためのキットであって、化合物１若しくは２：
【化１３】
2019511550.tif 000007
又はその薬学的に許容可能な塩若しくはアミノ酸抱合体を含む、キット。
（項目１４）
癌の治療又は予防を必要とする対象における癌の治療又は予防のための薬剤の製造における、化合物１若しくは２：
【化１４】
2019511550.tif 000008
から選択されるＦＸＲ作動薬、又はその薬学的に許容可能な塩若しくはアミノ酸抱合体の使用。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
創傷の壊死組織除去に使用するための壊死組織除去製剤であって、前記壊死組織除去製剤は、対象の創傷部位に、最長４週間、最大１０回の適用のレジメンで局所適用され、ヒドロゲルの形態で製剤化された前記壊死組織除去製剤は、（ｉ）ステムブロメライン（ＥＣ ３.４.２２.３２）及びアナナイン（ＥＣ ３.４.２２.３１）を含むブロメラインから得られるタンパク質分解酵素の混合物；並びに（ｉｉ）アクリル酸の架橋ポリマー以外のものである水溶性ゲル化剤を含み、前記壊死組織除去製剤は、適用ごとに少なくとも４時間、前記創傷部位との接触を維持される、壊死組織除去製剤。
【請求項２】
前記創傷が慢性創傷であり、好ましくは前記慢性創傷が、糖尿病性潰瘍、静脈うっ血性潰瘍、動脈不全潰瘍、圧迫潰瘍、術後創傷、及び外傷後の創傷からなる群から選択される、請求項１に記載の壊死組織除去製剤。
【請求項３】
前記壊死組織除去製剤は、最大１０回の適用のレジメンで適用され、前記壊死組織除去製剤が、適用ごとに約２４時間、または適用ごとに約４８時間、または適用ごとに約７２時間、前記創傷部位との接触を維持される、請求項１または２に記載の壊死組織除去製剤。
【請求項４】
前記壊死組織除去製剤が、以下の成分：
（ａ）（ｉ）ステムブロメライン（ＥＣ ３.４.２２.３２）及びアナナイン（ＥＣ ３.４.２２.３１）を含むブロメラインから得られるタンパク質分解酵素の混合物；
（ｉｉ）前記水溶性ゲル化剤；
（ｉｉｉ）抗凝集剤；
（ｉｖ）ｐＨ調整剤；
を含む乾燥形態又は粉末形態の組成物：並びに
（ｂ）水
を含み、
使用前に、前記組成物（ａ）は、水（ｂ）と混合されて、約２,０００,０００センチポアズ（ｃＰ）〜約８,５００,０００ｃＰの範囲の粘度及び約６.０〜約８.０の範囲のｐＨを有する均質なヒドロゲルであることを特徴とする前記壊死組織除去製剤を形成し、前記壊死組織除去製剤中のタンパク質の量が、前記壊死組織除去製剤の総重量の約０．５％（ｗ／ｗ）〜約７％（ｗ／ｗ）の範囲である、請求項１〜３のいずれか一項に記載の壊死組織除去製剤。
【請求項５】
前記壊死組織除去製剤中のタンパク質の量が、前記壊死組織除去製剤の総重量の約１％（ｗ／ｗ）の〜約５％（ｗ／ｗ）の範囲である、請求項４に記載の壊死組織除去製剤。
【請求項６】
前記水溶性ゲル化剤が、天然のゲル化剤、半合成ゲル化剤及び合成のゲル化剤からなる群から選択され、好ましくは前記水溶性天然ゲル化剤が多糖であり、さらに好ましくは前記多糖が、ガラクトマンナン又はグルコマンナンである、請求項４または５に記載の壊死組織除去製剤。
【請求項７】
前記ガラクトマンナンが、前記壊死組織除去製剤の総重量の約０.２５％（ｗ／ｗ）〜約５％（ｗ／ｗ）の範囲の量で存在するグアーガムである、請求項６に記載の壊死組織除去製剤。
【請求項８】
前記抗凝集剤がオリゴ糖であり、好ましくは前記オリゴ糖が、ラクトース、スクロース、マンニトール、及びグルコースからなる群から選択される、請求項４〜７のいずれか一項に記載の壊死組織除去製剤。
【請求項９】
前記オリゴ糖が、前記壊死組織除去製剤の総重量の約１０％（ｗ／ｗ）〜約２５％（ｗ／ｗ）の範囲の量で存在するラクトースである、請求項８に記載の壊死組織除去製剤。
【請求項１０】
前記ｐＨ調整剤が、前記壊死組織除去製剤の総重量の約２％（ｗ／ｗ）〜約１０％（ｗ／ｗ）の範囲の量で存在するリン酸カリウムである、請求項４〜９のいずれか一項に記載の壊死組織除去製剤。
【請求項１１】
水が、前記壊死組織除去製剤の総重量の約５５％（ｗ／ｗ）〜約９０％（ｗ／ｗ）の範囲の量で存在する、請求項４〜１０のいずれか一項に記載の壊死組織除去製剤。
【請求項１２】
前記壊死組織除去製剤が、
（ｉ）前記壊死組織除去製剤中のタンパク質の量が、前記壊死組織除去製剤の総重量の約０.５％（ｗ／ｗ）〜約７％（ｗ／ｗ）、好ましくは、約１％（ｗ／ｗ）〜約５％（ｗ／ｗ）の範囲であるタンパク質分解酵素の混合物；
（ｉｉ）前記壊死組織除去製剤の総重量の約０.２５％（ｗ／ｗ）〜約５％（ｗ／ｗ）の範囲の量のグアーガム；
（ｉｉｉ）前記壊死組織除去製剤の総重量の約１０％（ｗ／ｗ）〜約２５％（ｗ／ｗ）の範囲の量のラクトース；
（ｉｖ）前記壊死組織除去製剤の総重量の約２％（ｗ／ｗ）〜約１０％（ｗ／ｗ）の範囲の量のリン酸カリウム；並びに、
（ｖ）前記壊死組織除去製剤の総重量の１００％（ｗ／ｗ）までの量の水
を含む、請求項４〜１１のいずれか一項に記載の壊死組織除去製剤。
【請求項１３】
前記壊死組織除去製剤が以下のものを含む、請求項１２に記載の壊死組織除去製剤：
【表１】
2019511581.tif 000001
【請求項１４】
前記壊死組織除去製剤が、以下の工程：
（ａ）（ｉ）ブロメラインから得られるタンパク質分解酵素の混合物；
（ｉｉ）前記水溶性ゲル化剤；
（ｉｉｉ）抗凝集剤；
（ｉｖ）ｐＨ調整剤；
を含む乾燥形態又は粉末形態の組成物を取得する工程：並びに
（ｂ）使用前に、組成物（ａ）と水を混合し、約２,０００,０００センチポアズ（ｃＰ）〜約８,５００,０００ｃＰの範囲の粘度及び約６.０〜約８.０の範囲のｐＨを有する均質なヒドロゲルであることを特徴とする壊死組織除去製剤を形成する工程、により調製される、請求項１に記載の壊死組織除去製剤。
【請求項１５】
（ａ）（ｉ）ステムブロメライン（ＥＣ ３.４.２２.３２）及びアナナイン（ＥＣ ３.４.２２.３１）を含むブロメラインから得られるタンパク質分解酵素の混合物；
（ｉｉ）アクリル酸の架橋ポリマー以外のものである水溶性ゲル化剤；
（ｉｉｉ）抗凝集剤；
（ｉｖ）ｐＨ調整剤；
を含む乾燥形態又は凍結乾燥形態の組成物：並びに
（ｂ）水
を含む壊死組織除去製剤であって、
使用前に、前記組成物（ａ）が、水（ｂ）と混合されて、約２,０００,０００センチポアズ（ｃＰ）〜約８,５００,０００ｃＰの範囲の粘度及び約６.０〜約８.０の範囲のｐＨを有する均質なヒドロゲルであることを特徴とする壊死組織除去製剤を形成し、前記壊死組織除去製剤中のタンパク質の量が、前記壊死組織除去製剤の総重量の約０．５％（ｗ／ｗ）〜約７％（ｗ／ｗ）の範囲である、壊死組織除去製剤。
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
−ＳＯ２Ｘ末端基と、
式
【化１】
2019511598.tif 000001
［式中、ｂは２〜８であり、ｃは０〜２であり、ｅは１〜８であり、各Ｘは独立して、Ｆ、−ＮＺＨ、−ＮＺＳＯ２（ＣＦ２）１−６ＳＯ２Ｘ’、−ＮＺ［ＳＯ２（ＣＦ２）ａＳＯ２ＮＺ］１−１０ＳＯ２（ＣＦ２）ａＳＯ２Ｘ’、又は−ＯＺ（式中、Ｚは独立して、水素、アルカリ金属カチオン、又は四級アンモニウムカチオンであり、Ｘ’は独立して、−ＮＺＨ、又は−ＯＺであり、各ａは独立して１〜６である。）である。］で独立して表される二価の単位と、
１又は複数のその他の独立して選択されたフッ素化した二価の単位と、を含むコポリマーであって、
最大１０００の−ＳＯ２Ｘ当量重量を有する、コポリマー。
【請求項２】
式
【化２】
2019511598.tif 000002
［式中、ｂは２〜８であり、ｃは０〜２であり、ｅは１〜８であり、各Ｘ’”は独立して、−ＮＺＨ、−ＮＺＳＯ２（ＣＦ２）１−６ＳＯ２Ｘ’、又は−ＮＺ［ＳＯ２（ＣＦ２）ａＳＯ２ＮＺ］１−１０ＳＯ２（ＣＦ２）ａＳＯ２Ｘ’（式中、Ｚは、水素、アルカリ金属カチオン、又は四級アンモニウムカチオンであり、Ｘ’は独立して、−ＮＺＨ、又は−ＯＺであり、各ａは独立して１〜６である。）である。］で独立して表される二価の単位と、
１又は複数のその他の独立して選択されたフッ素化した二価の単位と、を含む、コポリマー。
【請求項３】
ｂが２又は３であり、ｃが０又は１であり、ｅが２又は４である、請求項１又は２のいずれかに記載のコポリマー。
【請求項４】
前記その他の独立して選択されたフッ素化した二価の単位が、ペルフルオロアルキルビニルエーテル、ペルフルオロアルコキシアルキルビニルエーテル、又は式Ｃ（Ｒ）２＝ＣＦ−Ｒｆ［式中、Ｒｆはフッ素又は１〜８個の炭素原子を有するペルフルオロアルキルであり、各Ｒは独立して水素、フッ素、又は塩素である。］で表されるフッ素化オレフィンのうちの少なくとも１つに由来する、請求項１〜３のいずれか一項に記載のコポリマー。
【請求項５】
前記その他の独立して選択されたフッ素化した二価の単位が、−［ＣＦ２−ＣＦ２］−を含む、請求項４に記載のコポリマー。
【請求項６】
イオノマーの製造方法であって、フッ素化オレフィンと、式ＣＦ２＝ＣＦＣＦ２−（ＯＣｂＦ２ｂ）ｃ−Ｏ−（ＣｅＦ２ｅ）−ＳＯ２Ｘ’［式中、ｂは２〜８であり、ｃは０〜２であり、ｅは１〜８であり、Ｘ’は−ＮＺＨ、又は−ＯＺ（式中、各Ｚは独立して、水素、アルカリ金属カチオン、又は四級アンモニウムカチオンである。）である。］で表される化合物と、を含む構成成分を共重合することを含む、方法。
【請求項７】
前記フッ素化オレフィンが、式Ｃ（Ｒ）２＝ＣＦ−Ｒｆ［式中、Ｒｆはフッ素又は１〜８個の炭素原子を有するペルフルオロアルキルであり、各Ｒは独立して水素、フッ素、若しくは塩素、又はこれらの組み合わせである。］で表される、請求項６に記載の方法。
【請求項８】
前記共重合が、フッ素化乳化剤、前記コポリマーを固体として単離するための凝固、又は前記コポリマーの加水分解のうちの少なくとも１つを伴わずに実施される、請求項６又は７に記載の方法。
【請求項９】
請求項１〜５のいずれか一項に記載のコポリマー、又は請求項６〜８のいずれか一項に記載の方法により製造されたイオノマーを含む、ポリマー電解質膜又は触媒インクである物品であって、前記ポリマー電解質膜は、任意に、セリウムカチオン、マンガンカチオン、ルテニウムカチオン、又は酸化セリウムのうちの少なくとも１つを更に含む、物品。
【請求項１０】
請求項９に記載のポリマー電解質膜又は触媒インクのうちの少なくとも１つを含む、膜電極アセンブリ。
【手続補正書】
【提出日】令和2年2月14日(2020.2.14)
【手続補正１】
【補正対象書類名】特許請求の範囲
【補正対象項目名】請求項３
【補正方法】変更
【補正の内容】
【請求項３】
前記ポリアミド組成物（ＰＣ）中に存在する前記少なくとも１種のポリアミド（Ｐ）が、ＰＡ４、ＰＡ６、ＰＡ７、ＰＡ８、ＰＡ９、ＰＡ１１、ＰＡ１２、ＰＡ４６、ＰＡ６６、ＰＡ６９、ＰＡ５１０、ＰＡ６１０、ＰＡ６１２、ＰＡ６１３、ＰＡ１２１２、ＰＡ１３１３、ＰＡ６Ｔ、ＰＡ  ＭＸＤ６、ＰＡ６Ｉ、ＰＡ６−３−Ｔ、ＰＡ６／６Ｔ、ＰＡ６／６６、ＰＡ６６／６、ＰＡ６／１２、ＰＡ６６／６／６１０、ＰＡ６Ｉ／６Ｔ、ＰＡ  ＰＡＣＭ１２、ＰＡ６Ｉ／６Ｔ／ＰＡＣＭ、ＰＡ１２／ＭＡＣＭＩ、ＰＡ１２／ＭＡＣＭＴ、ＰＡ  ＰＤＡ−Ｔ及び上記ポリアミドの２種以上から構成されるコポリアミドからなる群から選択される、請求項１又は２に記載のポリアミド組成物（ＰＣ）の使用方法。
【手続補正２】
【補正対象書類名】特許請求の範囲
【補正対象項目名】請求項４
【補正方法】変更
【補正の内容】
【請求項４】
前記ポリアミド組成物（ＰＣ）中に存在する前記少なくとも１種のポリアミド（Ｐ）が、ポリアミド６（ＰＡ６）、ポリアミド６６（ＰＡ６６）、ポリアミド６／６６（ＰＡ６／６６）、ポリアミド６６／６（ＰＡ６６／６）、ポリアミド６１０（ＰＡ６１０）、ポリアミド６／６Ｔ（ＰＡ６／６Ｔ）、ポリアミド１２（ＰＡ１２）及びポリアミド１２１２（ＰＡ１２１２）からなる群から選択される、請求項１から３のいずれか一項に記載のポリアミド組成物（ＰＣ）の使用方法。
【手続補正３】
【補正対象書類名】明細書
【補正対象項目名】００５４
【補正方法】変更
【補正の内容】
【００５４】
ＡＢポリマー：
ＰＡ４    ピロリドン
ＰＡ６    ε−カプロラクタム
ＰＡ７    エナントラクタム
ＰＡ８    カプリルラクタム
ＰＡ９    ９−アミノペラルゴン酸
ＰＡ１１  １１−アミノウンデカン酸
ＰＡ１２    ラウロラクタム
ＡＡ／ＢＢポリマー：
ＰＡ４６    テトラメチレンジアミン、アジピン酸
ＰＡ６６    ヘキサメチレンジアミン、アジピン酸
ＰＡ６９    ヘキサメチレンジアミン、アゼライン酸
ＰＡ６１０    ヘキサメチレンジアミン、セバシン酸
ＰＡ６１２    ヘキサメチレンジアミン、デカンジカルボン酸
ＰＡ６１３    ヘキサメチレンジアミン、ウンデカンジカルボン酸
ＰＡ１２１２    ドデカン−１，１２−ジアミン、デカンジカルボン酸
ＰＡ１３１３    トリデカン−１，１３−ジアミン、ウンデカンジカルボン酸
ＰＡ６Ｔ    ヘキサメチレンジアミン、テレフタル酸
ＰＡ９Ｔ    ノニルジアミン、テレフタル酸
ＰＡＭＸＤ６    ｍ−キシリレンジアミン、アジピン酸
ＰＡ６Ｉ    ヘキサメチレンジアミン、イソフタル酸
（以下、本明細書において、ＰＡ６ｌというときは、ＰＡ６Ｉのことをいうものとする。）
ＰＡ６−３−Ｔ    トリメチルヘキサメチレンジアミン、テレフタル酸
ＰＡ６／６Ｔ    （ＰＡ６及びＰＡ６Ｔ参照）
ＰＡ６／６６    （ＰＡ６及びＰＡ６６参照）
ＰＡ６／１２    （ＰＡ６及びＰＡ１２参照）
ＰＡ６６／６／６１０    （ＰＡ６６、ＰＡ６及びＰＡ６１０参照）
ＰＡ６Ｉ／６Ｔ    （ＰＡ６Ｉ及びＰＡ６Ｔ参照）
ＰＡ  ＰＡＣＭ  １２    ジアミノジシクロヘキシルメタン、ラウロラクタム
ＰＡ６Ｉ／６Ｔ／ＰＡＣＭ    ＰＡ６Ｉ／６Ｔ及びジアミノジシクロヘキシルメタンとして
ＰＡ１２／ＭＡＣＭＩ    ラウロラクタム、ジメチルジアミノジシクロヘキシルメタン、イソフタル酸
ＰＡ１２／ＭＡＣＭＴ    ラウロラクタム、ジメチルジアミノジシクロヘキシルメタン、テレフタル酸
ＰＡ  ＰＤＡ−Ｔ    フェニレンジアミン、テレフタル酸
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
ポリマーへの添加剤であって、少なくとも１つの官能化Ｆ−ＰＯＳＳ材料を含み、
前記官能化Ｆ−ＰＯＳＳ材料において、官能基はアミン、イソシアネート、エポキシ、カルボン酸、およびエステルからなる群から選択される少なくとも１つの材料である、添加剤。
【請求項２】
前記ポリマーはポリウレタン、ポリアミド、ポリアクリレート、ポリオレフィン、ポリエステル、ポリエーテル、フッ素化ポリマー、およびポリスチレンからなる群から選択される少なくとも１つのポリマーである、請求項１に記載の添加剤。
【請求項３】
完全フッ素化鎖対極性官能基のモル比は７：１、６：２、５：３、４：４、３：５、２：６、または１：７のいずれかである、請求項１に記載の添加剤。
【請求項４】
ポリマー配合物であって、
ａ）ポリウレタン、ポリアミド、ポリアクリレート、ポリオレフィン、ポリエステル、ポリエーテル、フッ素化ポリマー、およびポリスチレンからなる群から選択される少なくとも１つのポリマー材料；および
ｂ）少なくとも１つの官能化Ｆ−ＰＯＳＳ材料を含み、前記官能化Ｆ−ＰＯＳＳ材料において、官能基はアミン、イソシアネート、エポキシ、カルボン酸、およびエステルからなる群から選択される少なくとも１つの材料である、添加剤、
を含むポリマー配合物。
【請求項５】
以下の式１に示される構造を含む、官能化Ｆ−ＰＯＳＳ材料：
【化３】
2019511596.tif 000001
【請求項６】
ａ）式中、ＲはＲｆまたはＲｆ’のいずれかであり、
ｂ）式中、Ｒｆは−（ＣＨ２）ｎ−（ＣＦ２）ｑ−ＣＦ３であり、ここでｎは０〜５であり、ここでｑは０〜１５であり、
ｃ）式中、Ｒｆ’は−（ＣＨ２）ｍ−Ｘであり、ここでｍは０〜１５であり、かつ
ｄ）式中、Ｘは−ＮＨ２（第一級、第二級または第三級のアミンのいずれか）、−ＮＣＯ、−ＣＯＯＨ、−ＣＯ−Ｏ−、エポキシ、−ＯＨ、−Ｓ−ＣＮ、−（Ｃ６Ｈ６）、−Ｎ（ＣＨ３）３＋Ｃｌ−、ハロゲン、−ＳＨ、シアノ、アルコキシ、アリールオキシ、Ｎ−カルバミル、チオカルバミル、アミド、スルフィニル、スルホニル、スルホンアミド、アルキルチオ、アリールチオ、ヘテロ環式、ヘテロアリール、ヘテロシクロアルキル、第四級アンモニウム、シクロアルキル、カルボニル、オキソ、ニトロ、アルケニル、およびアルキニル基からなる群から選択される基である、
請求項５に記載の官能化Ｆ−ＰＯＳＳ材料。
【請求項７】
Ｒｆ：Ｒｆ’の比は７：１、６：２、５：３、４：４、３：５、２：６、または１：７のいずれかである、請求項６に記載の官能化Ｆ−ＰＯＳＳ材料。
【請求項８】
Ｒｆは−（ＣＨ２）ｎ−（ＣＦ２）ｑ−ＣＦ３であり、ここでｎは２である、請求項６に記載の官能化Ｆ−ＰＯＳＳ材料。
【請求項９】
Ｒｆは−（ＣＨ２）ｎ−（ＣＦ２）ｑ−ＣＦ３であり、ここでｑは６または８のいずれかである、請求項６に記載の官能化Ｆ−ＰＯＳＳ材料。
【請求項１０】
官能化シランとフッ素化アルキルシラン（ＦＡＳ）から合成された官能化Ｆ−ＰＯＳＳ材料。
【請求項１１】
アニーリング後の前記材料は、アニーリング前の前記材料の水接触角およびヘキサデカン接触角よりも約２０％小さい水接触角およびヘキサデカン接触角を有する、請求項５に記載の官能化Ｆ−ＰＯＳＳ材料。
【請求項１２】
式［２］に示される構造を含む、フッ素化アルキルシラン（ＦＡＳ）分子：
［ＣＨ３−（ＣＨ２）ｎ−Ｏ］３−Ｓｉ−（ＣＨ２）ｍ−（ＣＦ２）ｑ−ＣＦ３    ［２］
式中、
ｎは０〜１５であり、
ｍは０〜５であり、かつ
ｑは０〜１５である。
【請求項１３】
式［３］に示される構造を含む、フッ素化シラン分子：
［ＣＨ３−（ＣＨ２）ｎ−Ｏ］３−Ｓｉ−（ＣＨ２）ｍ−Ｘ    ［３］
式中、
ｎは０〜１５であり、
ｍは０〜１８であり、かつ
Ｘは−ＮＨ２（第一級、第二級または第三級アミン）、−ＮＣＯ、−ＣＯＯＨ、−ＣＯ−Ｏ−、エポキシ、−ＯＨ、−Ｓ−ＣＮ、−（Ｃ６Ｈ６）、−Ｎ（ＣＨ３）３＋Ｃｌ−、ハロゲン（例えば、−Ｃｌ、Ｂｒ、Ｆ、またはＩ）、−ＳＨ、シアノ、アルコキシ、アリールオキシ、Ｎ−カルバミル、チオカルバミル、アミド、スルフィニル、スルホニル、スルホンアミド、アルキルチオ、アリールチオ、ヘテロ環、ヘテロアリール、ヘテロシクロアルキル、第四級アンモニウム、シクロアルキル、カルボニル、オキソ、ニトロ、アルケニル、およびアルキニルからなる群から選択される基である。
【請求項１４】
官能化Ｆ−ＰＯＳＳを合成する方法であって、
ａ）フッ素化アルキルシラン（ＦＡＳ）と少なくとも１つの官能化シラン前駆体を７：１、６：２、５：３、４：４、３：５、２：６、または１：７のいずれかのモル比で混合するステップ；
ｂ）前記ステップａ）の混合物を、７：１、６：２、５：３、４：４、３：５、２：６、または１：７のいずれかのモル比で溶媒に添加するステップ；
ｃ）ＫＯＨ水溶液を触媒として添加するステップ；
ｄ）前記ｃ）で得られた混合物を室温で撹拌するステップ；および
ｅ）沈殿した最終生成物を集めるステップ、
を含む、方法。
【請求項１５】
前記方法はさらに、ｆ）前記沈殿した最終生成物をエタノールで洗浄し、次いで乾燥させるステップを含む、請求項１４に記載の方法。
【請求項１６】
前記添加剤である官能化Ｆ−ＰＯＳＳおよびポリマーは、以下の量で存在する：
ａ）官能化Ｆ−ＰＯＳＳ：０．０５ｗｔ％〜５０ｗｔ％および、
ｂ）ポリマー：９９．５ｗｔ％〜５０ｗｔ％、
請求項１４に記載の方法。
【請求項１７】
前記溶媒の前駆体はアルカンと、エタノールとイソプロピルアルコールの混合物との組み合わせである、請求項１４に記載の方法。
【請求項１８】
前記アルカンはヘプタン、オクタン、ペンタンおよび前記の少なくとも２つの組み合わせからなる群から選択される、請求項１７に記載の方法。
【請求項１９】
複合材料を形成する方法であって、
ａ）請求項１４に記載の方法に従って形成された材料および熱可塑性ポリウレタンを準備するステップ；および
ｂ）前記ａ）の前記材料および前記ポリウレタンを配合機において配合してペレットを形成するステップ、
を含む、方法。
【請求項２０】
靴の製造に使用されるポリマー配合物中の添加剤であって、前記添加剤は請求項１４に記載の方法に従って製造される、添加剤。